(57)【特許請求の範囲】
【請求項１】
パチンコ球が発射される遊技盤と、
前記遊技盤に設けられた台板と、
前記台板に設けられ、前記台板から前方へ突出するものであって前記台板の外周部を前記台板の下辺部を除いてパチンコ球が進入不能に取囲むリブと、
前記台板に設けられ、前後方向へ指向する軸と、
前記リブの上部に前記軸より右側に位置して設けられ、パチンコ球が前記台板の外部から前記台板の前方の領域内に進入することを許容する切欠状の第１の入賞口と、
前記リブの上部に前記軸より左側に位置して設けられ、パチンコ球が前記台板の外部から前記台板の前方の領域内に進入することを許容する切欠状の第２の入賞口と、
前記台板の軸に設けられ、前記第１の入賞口および前記第２の入賞口のそれぞれから前記台板の前方の領域内に進入したパチンコ球を受けるく字状の下板を有するものであって当該パチンコ球を受けるときの衝突力で当該下板が右から左に向けて上昇する左肩上りの状態および左から右に向けて上昇する右肩上りの状態相互間で前記軸を中心に回動操作される振分け部材と、
前記台板の右下部に設けられ、前記振分け部材の下板が左肩上りの状態に回動している場合にパチンコ球が前記振分け部材の下板に沿って転動することで入球する第１の入球口と、
前記台板の左下部に設けられ、前記振分け部材の下板が右肩上りの状態に回動している場合にパチンコ球が前記振分け部材の下板に沿って転動することで入球する第２の入球口を備えたことを特徴とするパチンコ機。
【発明の詳細な説明】
【０００１】
【発明の属する技術分野】
本発明は、パチンコ球を複数の入球口に振分ける振分け装置を有するパチンコ機に関する。
【０００２】
【発明が解決しようとする課題】
上記パチンコ機には、振分け装置に入賞したパチンコ球を振分け装置の複数の入球口に振分けることに基づいてパチンコ球の挙動におもしろみを持たせることが考えられている。この場合、パチンコ球の各入球口に対する絶対的な入球数が少なくなる虞れがあるので、パチンコ球の入球に連動して行われる楽しい動作を経験する回数が少なくなる。
本発明は上記事情に鑑みてなされたものであり、その目的は、遊技のおもしろさを高めることができるパチンコ機を提供することにある。
【０００３】
【課題を解決するための手段】
請求項１記載のパチンコ機は、パチンコ球が発射される遊技盤と、前記遊技盤に設けられた台板と、前記台板に設けられ前記台板から前方へ突出するものであって前記台板の外周部を前記台板の下辺部を除いてパチンコ球が進入不能に取囲むリブと、前記台板に設けられ前後方向へ指向する軸と、前記リブの上部に前記軸より右側に位置して設けられパチンコ球が前記台板の外部から前記台板の前方の領域内に進入することを許容する切欠状の第１の入賞口と、前記リブの上部に前記軸より左側に位置して設けられパチンコ球が前記台板の外部から前記台板の前方の領域内に進入することを許容する切欠状の第２の入賞口と、前記台板の軸に設けられ前記第１の入賞口および前記第２の入賞口のそれぞれから前記台板の前方の領域内に進入したパチンコ球を受けるく字状の下板を有するものであって当該パチンコ球を受けるときの衝突力で当該下板が右から左に向けて上昇する左肩上りの状態および左から右に向けて上昇する右肩上りの状態相互間で前記軸を中心に回動操作される振分け部材と、前記台板の右下部に設けられ前記振分け部材の下板が左肩上りの状態に回動している場合にパチンコ球が前記振分け部材の下板に沿って転動することで入球する第１の入球口と、前記台板の左下部に設けられ前記振分け部材の下板が右肩上りの状態に回動している場合にパチンコ球が前記振分け部材の下板に沿って転動することで入球する第２の入球口を備えたところに特徴を有している。
上記手段によれば、振分け装置の振分け部材に第１の入賞口および第２の入賞口の双方を通して多数個のパチンコ球が供給されるので、振分け装置の第１の入球口および第２の入球口のそれぞれに多数個のパチンコ球を振分けることができる。このため、パチンコ球が振分けられる挙動のおもしろさを数多く経験でき、しかも、パチンコ球の入球に連動して行われる楽しい動作も数多く経験できるので、遊技のおもしろさが高まる。
【０００６】
【発明の実施の形態】
以下、本発明の一実施例を図面に基づいて説明する。パチンコホールの台島には、図４に示すように、外枠１が設置されている。この外枠１は前後面が開口する角筒状をなすものであり、外枠１には、図３に示すように、前面扉２が左側辺部を中心に回動可能に装着されている。この前面扉２の右側部には枠鍵３が装着されており、枠鍵３は前面扉２を外枠１の前端面に密着した閉鎖状態にロックしている。
【０００７】
前面扉２の前面には右下部に位置して発射ハンドル４が回動可能に装着されており、発射ハンドル４の後方には、図４に示すように、発射モータ５が装着されている。この発射モータ５の回転軸（図示せず）には、図３に示すように、クランク機構（図示せず）を介して打球槌６が連結されており、発射ハンドル４が図３の時計回り方向へ回動操作されると、発射モータ５に電源が与えられ、打球槌６が軸７を中心に繰返し回動する。
【０００８】
前面扉２にはコ字枠８が固定されており、コ字枠８には横長な長方形状の皿板９および矩形枠状の窓枠１０が左側辺部を中心に回動可能に装着されている。これら皿板９および窓枠１０は上述した枠鍵３によりコ字枠８の内周面に嵌合した閉鎖状態にロックされるものであり、皿板９の前面には上皿１１が固定されている。この上皿１１内にはパチンコ球（図示せず）が貯溜されており、打球槌６が回動すると、上皿１１内のパチンコ球が打球槌６により弾かれる。
【０００９】
前面扉２の後面には額縁状の機構盤（図示せず）が固定されており、機構盤には遊技盤１２が保持されている。また、窓枠１０の内周面には透明なガラス窓（図示せず）が保持されており、遊技盤１２は窓枠１０が閉鎖状態にロックされることに基づいてガラス窓により前方から覆われる。
【００１０】
遊技盤１２の前面には、図１に示すように、外レール１３および内レール１４が固定されており、打球槌６により弾かれたパチンコ球は外レール１３および内レール１４間を通して遊技盤１２内の上部に放出される。また、遊技盤１２の前面には複数の障害釘１５が打込まれており、遊技盤１２の上部に放出されたパチンコ球は複数の障害釘１５に当りながら落下する。
【００１１】
遊技盤１２の前面には合成樹脂製の台板１６が固定されており、台板１６の中央部には特別図柄表示装置１７が固定され、台板１６の下端部にはＬＥＤからなる４個の特別記憶ランプ１８が固定されている。前者の特別図柄表示装置１７はカラー液晶表示器からなるものであり、特別図柄表示装置１７には「０」〜「１３」の数字図柄が左列，中列，右列の３列に表示される。
【００１２】
台板１６には特別図柄表示装置１７の上方に位置して普通図柄表示装置１９が固定されている。この普通図柄表示装置１９は７セグメント形のＬＥＤ表示器からなるものであり、普通図柄表示装置１９には「−」の図柄および「７」の数字図柄が選択的に表示される。
【００１３】
台板１６の後面には表示回路基板（図示せず）が固定されており、表示回路基板には表示制御装置２０（図５参照）が搭載されている。この表示制御装置２０はマイクロコンピュータを主体に構成されたものであり、表示制御装置２０の出力ポートには、図５に示すように、ドライブ回路２１を介して特別図柄表示装置１７が電気的に接続されている。
【００１４】
遊技盤１２の後面には、図４に示すように、センタカバー２２が固定されている。このセンタカバー２２は表示回路基板を後方から覆うものであり、センタカバー２２の後面にはメイン回路ボックス２３が固定されている。このメイン回路ボックス２３内にはメイン回路基板（図示せず）が収納されており、メイン回路基板にはマイクロコンピュータを主体に構成されたメイン制御装置２４（図５参照）が搭載されている。
【００１５】
メイン制御装置２４の出力ポートには、図５に示すように、表示制御装置２０が電気的に接続されている。また、４個の特別記憶ランプ１８はドライブ回路２５を介してメイン制御装置２４の出力ポートに電気的に接続され、普通図柄表示装置１９はドライブ回路２６を介してメイン制御装置２４の出力ポートに電気的に接続されている。
【００１６】
メイン制御装置２４は大当りカウンタＮｏおよび小当りカウンタＮｋを有している。これら大当りカウンタＮｏおよび小当りカウンタＮｋはリングカウンタからなるものであり、「０」から異なる上限値に加算された後に「０」に戻って加算される。
【００１７】
遊技盤１２の前面には、図１に示すように、特別図柄表示装置１７の下方に位置して振分け装置２７が固定されている。以下、振分け装置２７について詳述する。遊技盤１２の前面には、図２に示すように、合成樹脂製の台板２８がねじ止めされており、台板２８の前面には前方へ突出するリブ２９が一体形成されている。このリブ２９は台板２８の外周部を下辺部を除いて囲うものであり、リブ２９の右上部および左上部には切欠状の入賞口３０が形成されている。尚、名入賞口３０の幅寸法は1個のパチンコ球のみが入球することを許容する値に設定されている。
【００１８】
台板２８には軸３１が回動可能に装着されており、軸３１の前端部には振分け部材に相当する可動片３２が固定されている。この可動片３２は両入賞口３０を通して振分け装置２７内に入賞するパチンコ球を受止めるものであり、く字状の下板３３および半円形状の前板３４を有している。
【００１９】
台板２８の後面には駆動源に相当する振分けソレノイド３５（図５参照）が固定されている。この振分けソレノイド３５のプランジャはクランク機構（図示せず）を介して可動片３２の軸３１に連結されており、振分けソレノイド３５の通電時には可動片３２が右肩上りの状態に回動し、振分けソレノイド３５の断電時には可動片３２が左肩上りの状態に回動する。
【００２０】
台板２８の下端部には左側部に位置して特別図柄始動口３６が形成されている。この特別図柄始動口３６は入球口に相当するものであり、可動片３２が右肩上りの状態になっているときにはパチンコ球が可動片３２の下板３３に沿って特別図柄始動口３６内に入球する。尚、台板２８の下端部には前方へ突出する球受け部２８ａが一体形成されており、可動片３２の下板３３に沿って転がるパチンコ球は球受け部２８ａにより受止められて特別図柄始動口３６内に入球する。
【００２１】
台板２８の下端部には右側部に位置してコ字状の普通図柄始動ゲート３７が一体形成されている。この普通図柄始動ゲート３７は入球口に相当するものであり、可動片３２が左肩上りの状態になっているときにはパチンコ球が可動片３２の下板３３に沿って普通図柄始動ゲート３７内を通過し、リブ２９の下面開口部を通して振分け装置２７の外部に放出される。
【００２２】
台板２８には特別図柄始動口センサ３８（図５参照）が固定されている。この特別図柄始動口センサ３８は特別図柄始動口３６内にパチンコ球が入球することに基づいて特図始動信号Ｓｔを出力する近接スイッチからなるものであり、図５に示すように、メイン制御装置２４の入力ポートに電気的に接続されている。
【００２３】
台板２８には普通図柄始動ゲートセンサ３９（図５参照）が固定されている。この普通図柄始動ゲートセンサ３９は普通図柄始動ゲート３７内にパチンコ球が入球することに基づいて普通図始動信号Ｓｈを出力する近接スイッチからなるものであり、図５に示すように、メイン制御装置２４の入力ポートに電気的に接続されている。振分け装置２７は以上のように構成されている。
【００２４】
遊技盤１２の前面には、図１に示すように、振分け装置２７の下方に位置して普通入賞口４０が固定されている。この普通入賞口４０は一対の可動片４１を有する電動チューリップ式のものであり、一対の可動片４１は普通入賞口４０内に１個のパチンコ球のみが入球することを許容する閉鎖状態（二点鎖線で示す）および複数個のパチンコ球を同時に捕捉することが可能な開放状態（実線で示す）間で軸４２を中心に回動可能にされている。
【００２５】
普通入賞口４０の後面には普通入賞口ソレノイド４３（図５参照）が固定されており、普通入賞口ソレノイド４３は、図５に示すように、ドライブ回路４４を介してメイン制御装置２４の出力ポートに電気的に接続されている。この普通入賞口ソレノイド４３のプランジャはクランク機構（図示せず）を介して両可動片４１の両回動軸４２に連結されており、普通入賞口ソレノイド４３の通電時には両可動片４１が開放状態に回動し、普通入賞口ソレノイド４３の断電時には両可動片４１が閉鎖状態に回動する。
【００２６】
普通入賞口４０内には特別図柄始動口センサ４５（図５参照）が配設されている。この特別図柄始動口センサ４５は普通入賞口４０内にパチンコ球が入球したことを検出して特図始動信号Ｓｔを出力する近接スイッチからなるものであり、図５に示すように、メイン制御装置２４の入力ポートに電気的に接続されている。このメイン制御装置２４の内部ＲＯＭには判定プログラムが記録されており、メイン制御装置２４は、後述するように、特別図柄始動口センサ３８からの特図始動信号Ｓｔおよび特別図柄始動口センサ４５からの特図始動信号Ｓｔを判定プログラムに基づいて処理し、大当りおよび外れ等を判定する。
【００２７】
遊技盤１２の前面には、図１に示すように、普通入賞口４０の下方に位置して大入賞口４６が固定されており、大入賞口４６には扉４７が回動可能に装着されている。また、大入賞口４６の後面には大入賞口ソレノイド４８（図５参照）が固定されている。この大入賞口ソレノイド４８のプランジャはクランク機構（図示せず）を介して扉４７に連結されており、大入賞口ソレノイド４８の通電時には扉４７が水平状態に回動することに基づいて大入賞口４６を開放し、大入賞口ソレノイド４８の断電時には扉４７が垂直状態に回動することに基づいて大入賞口４７を閉鎖する。
【００２８】
大入賞口ソレノイド４８は、図５に示すように、ドライブ回路４９を介してメイン制御装置２４の出力ポートに電気的に接続されており、メイン制御装置２４は大当りを判定することに基づいて大入賞口ソレノイド４８に断続的に電源を与え、大入賞口４６を設定時間（例えば３０秒間）だけ開放する動作を複数回（例えば１６回）繰返す。尚、この動作は大当り動作と称されるものである。
【００２９】
大入賞口４６内には大入賞口センサ５０（図５参照）が配設されている。この大入賞口センサ５０は近接スイッチからなるものであり、大入賞口４６内にパチンコ球が入球したことを検出して入賞信号Ｓｎを出力する。また、前面扉２の後面には、図４に示すように、メインセット５１が前面扉２と同一の側辺部を中心に回動可能に装着されている。このメインセット５１はセンタカバー２２を囲う矩形枠状をなすものであり、メインセット５１の後面には賞球回路ボックス５２が固定されている。
【００３０】
賞球回路ボックス５２内には賞球回路基板（図示せず）が収納されており、賞球回路基板にはマイクロコンピュータを主体に構成された賞球制御装置５３（図５参照）が搭載されている。この賞球制御装置５３の入力ポートには、図５に示すように、大入賞口センサ５０が電気的に接続されており、賞球制御装置５３は大入賞口センサ５０からの入賞信号Ｓｎをカウントすることに基づいてパチンコ球の大入賞口４６に対する入賞数を検出する。
【００３１】
振分け装置２７の振分けソレノイド３５はドライブ回路５４を介して賞球制御装置５３の出力ポートに電気的に接続されており、賞球制御装置５３はメイン電源が投入されたことを合図に振分けソレノイド３５を設定時間Ｔon（例えば２秒）だけ通電する動作および設定時間Ｔoff （例えば２秒）だけ断電する動作を繰返す。この動作は賞球制御装置５３が内部ＲＯＭに予め記録された制御プログラムに基づいて実行するものであり、振分け装置２７の可動片３２は振分けソレノイド３５の通断電に基づいて左右に均等の時間的割合で揺動する。
【００３２】
メインセット５１の後面には、図４に示すように、上端部に位置して球タンク５５が固定されており、球タンク５５内にはパチンコ球（図示せず）が貯溜されている。また、メインセット５１の後面にはタンクレール５６および球払出しケース５７が固定されている。この球払出しケース５７内はタンクレール５６を介して球タンク５５内に通じており、球払出しケース５７内には球タンク５５内からタンクレール５６を通してパチンコ球が供給される。
【００３３】
球払出しケース５７内には球払出し機構（図示せず）が収納されている。この球払出し機構はパルスモータからなる球払出しモータ５８（図５参照）を駆動源とするものであり、球払出しモータ５８の回転軸が設定量回転する毎に球払出しケース５７内から下方へ設定個数のパチンコ球が払出される。この球払出しモータ５８は、図５に示すように、ドライブ回路５９を介して賞球制御装置５３の出力ポートに電気的に接続されており、賞球制御装置５３は大入賞口４６に対する入賞球数の検出結果に基づいて球払出しモータ５８を駆動制御し、球払出しケース５７内から検出結果に応じた個数のパチンコ球を払出す。
【００３４】
賞球制御装置５３はメイン制御装置２４の出力ポートに電気的に接続されており、メイン制御装置２４は特別図柄始動口センサ３８からの特図始動信号Ｓｔおよび特別図柄始動口センサ４５からの特図始動信号Ｓｔを賞球制御装置５３に出力する。すると、賞球制御装置５３は１個の特図始動信号Ｓｔが与えられる毎に球払出しモータ５８を駆動制御し、特別図柄始動口センサ３８から特図始動信号Ｓｔが出力された場合および特別図柄始動口センサ４５から特図始動信号Ｓｔが出力された場合のいずれにも球払出しケース５７内から同数（例えば７個）のパチンコ球を払出す。
【００３５】
メインセット５１には、図４に示すように、上皿通路６０が設けられている。この上皿通路６０は球払出しケース５７および上皿１１間を繋ぐものであり、球払出しケース５７内から払出されたパチンコ球は上皿通路６０を通して上皿１１内に供給される。また、メインセット５１には下皿通路６１が設けられており、下皿通路６１の上端部は上皿１１内に通じ、下皿通路６１の下端部は図３の下皿６２内に通じている。この下皿６２は前面扉２の前面に固定されたものであり、上皿１１内から溢れたパチンコ球は下皿通路６１を通して下皿６２内に供給される。
【００３６】
次に上記構成の作用について説明する。尚、下記動作はメイン制御装置２４が内部ＲＯＭに予め記録された判定プログラムに基づいて実行するものである。メイン制御装置２４は図６のステップＳ１で特図始動信号Ｓｔを検出すると、ステップＳ２へ移行する。ここで、特図始動信号Ｓｔの検出タイミングで大当りカウンタ値Ｎｏを取得し、大当りカウンタ値Ｎｏを内部ＲＡＭの大当り処理領域に記録する。そして、ステップＳ３へ移行し、表示制御装置２０に特別図柄変動画面の表示指令を出力する。
【００３７】
表示制御装置２０は特別図柄変動画面の表示指令を検出すると、特別図柄表示装置１７の左列，中列，右列の各列に「０」〜「１３」の数字図柄を「０」，「１」，「２」，……，「１２」，「１３」，「０」，「１」，……の順序で可変表示し、数字図柄が変動する様子を演出する（特別図柄変動画面の表示）。
【００３８】
メイン制御装置２４は特別図柄変動画面の表示指令を出力すると、図６のステップＳ４へ移行し、ＲＡＭの大当り処理領域から大当りカウンタ値Ｎｏを読出す。そして、大当りカウンタ値Ｎｏを設定値と比較することに基づいて外れ，特典無し（確率変動無し）大当り，特典付き（確率変動付き）大当りを判定する。例えば外れの判定時にはステップＳ５へ移行し、設定時間Ｔｏが経過するまで待機する。次に、ステップＳ６へ移行して表示制御装置２０に特別外れ画面の表示指令を出力し、ステップＳ１に復帰して上記一連の動作を繰返す。
【００３９】
表示制御装置２０は特別外れ画面の表示指令を検出すると、特別図柄表示装置１７の３列の全てを異なる数字で停止させたり、３列のうち２列を同一の数字で停止させて残り１列を異なる数字で停止させ（特別外れ画面の表示）、遊技者に外れを報知する。
【００４０】
メイン制御装置２４はステップＳ４で特典無し大当りを判定すると、ステップＳ７へ移行し、設定時間Ｔｏが経過するまで待機する。そして、ステップＳ８へ移行し、表示制御装置２０に特典無し大当り画面の表示指令を出力する。すると、表示制御装置２０は特別図柄表示装置１７の３列の全てを「０」〜「１２」のいずれかの偶数で停止させ（特別大当り画面の表示）、遊技者に特典無し大当りの発生を報知する。
【００４１】
メイン制御装置２４はステップＳ４で特典付き大当りを判定すると、ステップＳ９へ移行し、設定時間Ｔｏが経過するまで待機する。そして、ステップＳ１０へ移行し、表示制御装置２０に特典付き大当り画面の表示指令を出力する。すると、表示制御装置２０は特別図柄表示装置１７の３列の全てを「１」〜「１３」のいずれかの奇数で停止させ（特別大当り画面の表示）、遊技者に特典付き大当りの発生を報知する。
【００４２】
尚、特別外れ画面の各列の数字，特典無し大当り画面の各列の数字，特典付き大当り画面の各列の数字は表示制御装置２０がメイン制御装置２４からの表示指令を検出する時間的なタイミングに基づいて設定するものである。また、ステップＳ５，Ｓ７，Ｓ９は特別図柄変動時間（特別図柄変動画面の表示時間）を確定するものである。
【００４３】
メイン制御装置２４は特典無し大当り画面の表示指令または特典付き大当り画面の表示指令を出力すると、ステップＳ１１へ移行し、大入賞口ソレノイド４８を通断電することに基づいて上述の大当り動作を実行する。そして、ステップＳ１に復帰し、上記一連の動作を繰返す。このとき、先のステップＳ４で特典付き大当りを判定していれば、次回の大当りが発生するまではステップＳ４で通常より高確率で大当りを判定し、しかも、ステップＳ５，Ｓ７，Ｓ９で通常より待機時間Ｔｏを短縮する。
【００４４】
メイン制御装置２４の大当り処理領域は１個の大当りカウンタ値Ｎｏが記録されるものであり、メイン制御装置２４は大当り処理領域に大当りカウンタ値Ｎｏが記録されている状態で特図始動信号Ｓｔを検出すると、特図始動信号Ｓｔの検出タイミングで大当りカウンタ値Ｎｏを取得し、ＲＡＭの大当り保留領域に記録する。そして、ステップＳ４の判定動作が終了した時点で大当り保留領域の大当りカウンタ値Ｎｏを大当り処理領域に書換え、次回のステップＳ４では大当り処理領域の新たな大当りカウンタ値Ｎｏに基づいて判定動作を行う。
【００４５】
メイン制御装置２４の大当り保留領域は最大で４個の大当りカウンタ値Ｎｏが記録されるものであり、メイン制御装置２４は大当り保留領域に１個の大当りカウンタ値Ｎｏを記録する毎に１個の特別記憶ランプ１８を点灯させ、特別図柄表示装置１７に特別図柄変動画面を表示開始する毎に１個の特別記憶ランプ１８を消灯する。
【００４６】
メイン制御装置２４は普通図始動信号Ｓｈを検出すると、図７のステップＳ２１へ移行し、普通図始動信号Ｓｈの検出タイミングで小当りカウンタ値Ｎｋを取得し、内部ＲＡＭに記録する。そして、ステップＳ２２へ移行し、普通図柄表示装置１９に普通図柄変動画面の表示指令を出力する。すると、普通図柄表示装置１９は「−」の図柄を断続的に表示し、小当り判定動作を実行している雰囲気を演出する（普通図柄変動画面の表示）。
【００４７】
メイン制御装置２４は普通図柄変動画面の表示指令を出力すると、ステップＳ２３へ移行する。ここで、ＲＡＭから小当りカウント値Ｎｋを読出し、小当りカウント値Ｎｋを設定値と比較することに基づいて小当りおよび外れを判定する。例えば外れの判定時にはステップＳ２４へ移行し、設定時間Ｔｋが経過するまで待機する。次に、ステップＳ２５へ移行し、普通図柄表示装置１９に普通外れ画面の表示指令を出力する。すると、普通図柄表示装置１９に「−」の図柄が停止状態で表示され、遊技者に外れが報知される（普通外れ画面の表示）。
【００４８】
メイン制御装置２４はステップＳ２３で小当りを判定すると、ステップＳ２６へ移行し、設定時間Ｔｋが経過するまで待機する。そして、ステップＳ２７へ移行し、普通図柄表示装置１９に小当り画面の表示指令を出力する。すると、普通図柄表示装置１９に「７」の数字図柄が表示され（普通当り画面の表示）、遊技者に小当りの発生が報知される。尚、ステップＳ２４およびＳ２６は普通図柄変動時間（普通図柄変動画面の表示時間）を確定するものである。
【００４９】
メイン制御装置２４は小当り画面の表示指令を出力すると、ステップＳ２８へ移行する。ここで、普通入賞口ソレノイド４３に電源を与えることに基づいて普通入賞口４０を開放する（小当り動作）。尚、メイン制御装置２４は図６のステップＳ４で特典付き大当りを判定している状態で普通図始動信号Ｓｈを検出すると、ステップＳ２３で小当りを通常より高確率で判定し、しかも、ステップＳ２４およびＳ２６で待機時間Ｔｋを通常より短縮する。
【００５０】
上記実施例によれば、振分け装置２７に２個の入賞口３０を設けた。このため、振分け装置２７の可動片３２に２個の入賞口３０を通して多数個のパチンコ球が供給されるので、振分け装置２７の特別図柄始動口３６および普通図柄始動ゲート３７に多数個のパチンコ球を振分けることができる。従って、パチンコ球が振分けられる挙動のおもしろさを数多く経験でき、しかも、大当りの発生および小当りの発生を期待するドキドキ感も数多く経験できるので、遊技のおもしろさが高まる。
【００５１】
また、振分け装置２７をパチンコ球が集中する特別図柄表示装置１７の下方に配置した。このため、振分け装置２７の２個の入賞口３０に向かうパチンコ球の個数が増え、可動片３２に一層多くのパチンコ球が供給されるので、特別図柄始動口３６および普通図柄始動ゲート３７に一層多くのパチンコ球を振分けることができる。従って、パチンコ球の挙動のおもしろさを一層多く経験でき、しかも、大当りの発生等を期待するドキドキ感も一層多く経験できるので、遊技のおもしろさが一層高まる。
【００５２】
また、２個の入賞口３０を振分け装置２７の上半部に形成したので、振分け装置２７に向かうパチンコ球が高確率で２個の入賞口３０に入球する。このため、可動片３２に一層多くのパチンコ球が供給されるようになるので、特別図柄始動口３６および普通図柄始動ゲート３７に一層多くのパチンコ球を振分けることができる。従って、パチンコ球の挙動のおもしろさを一層多く経験でき、しかも、大当りの発生等を期待するドキドキ感も一層多く経験できるので、遊技のおもしろさが一層高まる。
【００５３】
尚、上記実施例においては、大当りを特典の獲得時に高確率で判定する確率変動機に本発明を適用したが、これに限定されるものではなく、例えば時間短縮機に適用しても良い。この時間短縮機は特典の獲得状態に拘らず大当りを一定の確率で判定するものであり、特典の獲得時には図６のステップＳ５，Ｓ７，Ｓ９で待機時間Ｔｏ（特別図柄変動時間）が短縮され、しかも、図７のステップＳ２４，Ｓ２６で待機時間Ｔｋ（普通図柄変動時間）が短縮される。
【００５４】
また、上記実施例においては、大当りカウンタ値Ｎｏに応じて特典付き大当り，特典無し大当り，外れを判定する確率変動機に本発明を適用したが、これに限定されるものではなく、例えば大当りおよび外れを判別するノーマル機に本発明を適用しても良い。
【００５５】
また、上記実施例においては、特典の獲得状態に拘らず振分け装置２７の可動片３２を左右に均等の時間的割合で揺動させたが、これに限定されるものではなく、例えば特典の非獲得時には左右に均等の時間的割合で揺動させ、特典の獲得時には左右に非均等な時間的割合で揺動させても良い。下記（１）は可動片３２の揺動状態の一例を示すものである。
【００５６】
（１）特典の獲得時には可動片３２を左肩上りの状態に「９」の時間的割合で揺動させ、右肩上りの状態に「１」の時間的割合で揺動させる。
上記構成の場合、特典の獲得時に高頻度で小当りが発生するので、パチンコ球の普通入賞口４０に対する入球個数が増える。このため、次の大当りが短い時間間隔で発生するので、遊技のおもしろさが高まる。
【００５７】
また、上記実施例においては、振分け装置２７に特別図柄始動口３６および普通図柄始動ゲート３７を設けたが、これに限定されるものではなく、例えば普通図柄始動ゲート３７に換えて単なる入賞口（パチンコ球が入球することに基づいて賞球を払出すもの）を設けても良い。
【００５８】
また、上記実施例においては、振分け装置２７に特別図柄始動口３６および普通図柄始動ゲート３７を設けたが、これに限定されるものではなく、例えば普通図柄始動ゲート３７に換えて特別図柄始動口を設け、パチンコ球が特別図柄始動口３６内に入球したときには１０個のパチンコ球を払出し、パチンコ球が別の特別図柄始動口内に入球したときには５個のパチンコ球を払出すようにしても良い。この場合、特典の非獲得時には可動片３２を左右に均等の時間的割合で揺動させ、特典の獲得時には、上述したように、左右に非均等な時間的割合で揺動させることに基づいてパチンコ球の減り量を少なくすることが好ましい。
【００５９】
また、上記実施例においては、振分け装置２７のリブ２９に２個の入賞口３０を形成したが、これに限定されるものではなく、例えば３個以上の入賞口３０を形成しても良い。
【００６０】
また、上記実施例においては、振分け装置２７の上半部に複数の入賞口３０を形成したが、これに限定されるものではなく、振分け装置２７の下半部に複数の入賞口３０を形成しても良い。この場合、遊技盤１２に複数の誘導釘を打込むことに基づいて各入賞口３０にパチンコ球を誘導することが好ましい。
【００６１】
また、上記実施例においては、大当りの判定に基づいて大入賞口４６を開放する１種のパチンコ機に本発明を適用したが、これに限定されるものではなく、例えば大当りの判定に基づいて特別入賞口を開放し、特別入賞口の特定口にパチンコ球が入球することに基づいて大入賞口を開放する３種のパチンコ機に適用しても良い。
【００６２】
また、上記実施例においては、賞球制御装置５３が振分けソレノイド３５を駆動制御する構成としたが、これに限定されるものではなく、例えばメイン制御装置２４が振分けソレノイド３５を駆動制御する構成としたり、専用の制御装置が振分けソレノイド３５を駆動制御する構成としても良い。
【００６３】
また、上記実施例においては、振分け装置２７の可動片３２を振分けソレノイド３５により揺動させたが、これに限定されるものではなく、例えば振分けモータにより揺動させたり、パチンコ球の衝突力で（駆動源を持たずに）揺動させても良い。上記実施例には特許請求の範囲に記載された発明に加えて次の［発明１］〜［発明３］が記載されている。
［発明１］
パチンコ球が入球または通過する複数の入球口およびパチンコ球を複数の入球口に振分ける振分け部材を有する振分け装置を備え、前記振分け装置には遊技盤内を落下するパチンコ球を前記振分け部材に供給する複数の入賞口が設けられていることを特徴とするパチンコ機。この発明１によれば、振分け装置の振分け部材に複数の入賞口を通して多数個のパチンコ球が供給されるので、振分け装置の各入球口に多数個のパチンコ球を振分けることができる。このため、パチンコ球が振分けられる挙動のおもしろさを数多く経験でき、しかも、パチンコ球の入球に連動して行われる楽しい動作も数多く経験できるので、遊技のおもしろさが高まる。
［発明２］
前記振分け装置は遊技盤のうちパチンコ球が集中する部分に設けられていることを特徴とする発明１に記載のパチンコ機。この発明２によれば、振分け装置に向かうパチンコ球の個数が増え、振分け部材に一層多くのパチンコ球が供給されるので、各入球口に一層多くのパチンコ球を振分けることができる。このため、パチンコ球の挙動のおもしろさを一層多く経験でき、しかも、パチンコ球の入球に連動して行われる楽しい動作も一層多く経験できるので、遊技のおもしろさが一層高まる。
［発明３］
前記複数の入賞口は前記振分け装置の上半部に設けられていることを特徴とする発明１に記載のパチンコ機。この発明３によれば、振分け装置に向かうパチンコ球が高確率で入賞口に入球するので、各入球口に一層多くのパチンコ球を振分けることができる。このため、パチンコ球の挙動のおもしろさを一層多く経験でき、しかも、パチンコ球の入球に連動して行われる楽しい動作も一層多く経験できるので、遊技のおもしろさが一層高まる。
【００６４】
【発明の効果】
以上の説明から明らかなように、本発明のパチンコ機は次の効果を奏する。
請求項１記載の手段によれば、振分け装置に第１の入賞口および第２の入賞口を設けた。このため、振分け装置の第１の入球口および第２の入球口のそれぞれに対するパチンコ球の絶対的な入球数が増えるので、遊技のおもしろさが高まる。
【図面の簡単な説明】
【図１】本発明の一実施例を示す図（遊技盤を示す前面図）
【図２】振分け装置を示す前面図
【図３】全体構成を示す前面図
【図４】全体構成を示す後面図
【図５】電気的構成を示すブロック図
【図６】メイン制御装置の制御内容を示すフローチャート
【図７】メイン制御装置の別の制御内容を示すフローチャート
【符号の説明】
１２は遊技盤、２７は振分け装置、３０は入賞口、３２は可動片（振分け部材）、３６は特別図柄始動口（入球口）、３７は普通図柄始動ゲート（入球口）を示す。
【図１】
0004264860.tif 000002
【図２】
0004264860.tif 000003
【図３】
0004264860.tif 000004
【図４】
0004264860.tif 000005
【図５】
0004264860.tif 000006
【図６】
0004264860.tif 000007
【図７】
0004264860.tif 000008